(57)【要約】【課題】情報盤を車輌に脱着可能に搭載して情報盤のみの設置を可能にすることで、スペース的な制約が緩和されて設置が容易になるとともに、長期的な設置に対しても車輌を効率良く有効に利用することができる脱着式情報盤を提供する。【解決手段】車体上に脱着自在に載置され、伸縮自在な支持脚３１を前後左右に有する基台３と、基台３上に設けられ、上部が伸縮自在に立設されるとともに水平旋回自在な旋回ポスト４と、旋回ポスト４の上記上部に設けられ、各種情報を表示する表示装置５とを備えている。基台３には、最も伸長した支持脚３１よりも短い補助脚３２が各支持脚３１の近傍に当該支持脚３１よりも外方に張り出し配置可能に設けられている。【選択図】  図２
2008096897.tif 000002
【特許請求の範囲】
【請求項１】
車体上に脱着自在に載置され、伸縮自在な支持脚を前後左右に有する基台と、
基台上に設けられ、上部が伸縮自在に立設されるとともに水平旋回自在な旋回ポストと、
旋回ポストの上記上部に設けられ、各種情報を表示する表示装置とを備えたことを特徴とする脱着式情報盤。
【請求項２】
前記基台には、最も伸長した前記支持脚よりも短い補助脚が各支持脚の近傍に当該支持脚よりも外方に張り出し配置可能に設けられたことを特徴とする請求項１記載の脱着式情報盤。
【発明の詳細な説明】
【技術分野】
【０００１】
本発明は、車輌の車体上に脱着自在に搭載され、各種情報を表示する脱着式情報盤に関する。
【背景技術】
【０００２】
従来、車輌に情報盤を搭載して当該情報盤により広告等の情報を文字や図形、画像などで表示する専用車輌や、又は特許文献１に見られるように貨物車輌の荷箱の側壁を利用してこの側壁に情報盤を設け、当該情報盤により広告等の情報を文字や図形、画像などで表示するものが提供されている。
【特許文献１】特開２００３−７６３０４号公報（図２）
【発明の開示】
【発明が解決しようとする課題】
【０００３】
しかしながら、上記従来のものでは、車輌と情報盤が一体的であるため、一定場所に情報盤を設置して情報を表示する場合には、車輌ごとになり設置スペースを大きく確保する必要があり制約を受けるとともに、車輌本来の役目をはたさず無駄に停車させるだけになり有効な利用が図れず、特に長期的に設置する場合には適さないという問題があった。
【０００４】
本発明は、上記問題点に鑑みてなされたもので、その目的とするところは、情報盤を車輌に脱着可能に搭載して情報盤のみの設置を可能にすることで、スペース的な制約が緩和されて設置が容易になるとともに、長期的な設置に対しても車輌を効率良く有効に利用することができる脱着式情報盤を提供することにある。
【課題を解決するための手段】
【０００５】
上記の目的を達成するため、請求項１に係る発明の脱着式情報盤は、車体上に脱着自在に載置され、伸縮自在な支持脚を前後左右に有する基台と、基台上に設けられ、上部が伸縮自在に立設されるとともに水平旋回自在な旋回ポストと、旋回ポストの上記上部に設けられ、各種情報を表示する表示装置とを備えたものである。
【０００６】
請求項２に係る発明の脱着式情報盤は、前記基台には、最も伸長した前記支持脚よりも短い補助脚が各支持脚の近傍に当該支持脚よりも外方に張り出し配置可能に設けられたものである。
【発明の効果】
【０００７】
本発明によれば、情報盤を脱着式とすることで、情報盤のみを適宜な場所に設置することができ、車輌ごと設置するものと比べてスペース的な制約が緩和されて設置が容易になる。また、情報盤を長期的に設置する場合でも作業車輌を効率良く有効に利用することができる。
【発明を実施するための最良の形態】
【０００８】
以下、本発明の実施の形態について図面を参照して説明する。
【０００９】
図１は、本発明の脱着式情報盤を搭載した作業車輌を示している。
【００１０】
図１において、作業車輌Ｃの車体１は、当該車体１前後方向に延びる左右一対のメインフレームを備えてなり、この車体１の前部にキャビン１１が設けられているとともに、キャビン１１後方の車体１上に情報盤２が載置されている。なお、図１における符号１２は車体１の前後両側に側方へ張出自在に設けられ、下方への伸長により車体１を安定的に支持する支持ジャッキである。
【００１１】
情報盤２は、図２及び図３に示すように、基台３と、この基台３上に旋回ポスト４を介して搭載された表示装置５とを備えている。
【００１２】
基台３は、前記車体１上に載置可能な矩形状に形成されており、その前後両側には支持脚３１がそれぞれ設けられている。
【００１３】
各支持脚３１は、油圧シリンダからなり、その伸縮部３１ａを下方にして垂設されており、図１に示すように情報盤２を車体１上に載置した状態で下方に伸長させることで、伸縮部下端の接地部を地上に接地させて基台３を車体１から上方に持ち上げ、これにより情報盤２全体を車体１から離脱させるようにしている。
【００１４】
また、各支持脚３１は、上述した垂下位置に対して図２に二点鎖線で示すように、基台３に沿って水平状態となる格納位置に配置可能になされている。
【００１５】
上記支持脚３１の近傍には補助脚３２が基台３に対して着脱自在に設けられている。補助脚３２は、基端側の水平部３２ａ（図３参照）と先端側の垂直部３２ｂとでＬ字状に形成されており、水平部３２ａを基台３に設けられた図示しない差込み部に抜き差しすることで着脱自在になされている。
【００１６】
この補助脚３２は、基台３に装着した状態においては前記支持脚３１よりも外方に張り出して配置されるようにその水平部３２ａの長さ設定されている。また、垂直部３２ｂの長さは、最も伸長させた際の前記支持脚３１よりもやや短くなるように設定されている。
【００１７】
そして、水平部３２ａを差し込んで基台に装着した際には図示しない固定ピン等の固定手段によって基台３に安定な状態で固定するようになっている。
【００１８】
旋回ポスト４は、図４に示すように基台３上に立設された基端フレーム４１と、基端フレーム４１に外嵌されたアウターフレーム（上部）４２とを備えている。
【００１９】
基端フレーム４１の基端外周部にはギア４３が一体的に設けられており、モータ４４の出力軸に一体的に設けられたギア４４ａが上記ギア４３に噛合されている。従って、モータ４４を正逆方向に回転駆動させることによりギア４４ａを通じてギア４３を正逆方向に回転させ、これによって旋回ポスト４全体を同様に正逆方向に旋回させることができる。
【００２０】
また、基端フレーム４１とアウターフレーム４２との内部には伸縮シリンダ４５が配設されている。具体的には、伸縮シリンダ４５は、本体部４５ａ基端が基端フレーム４１の基端部に連結されるとともに、伸縮ロッド４５ｂ先端がアウターフレーム４２の先端部に連結されている。これにより伸縮シリンダ４５を伸縮作動させることで、基端フレーム４１に対してアウターフレーム４２を上下に伸縮作動させることができる。
【００２１】
表示装置５は、前記アウターフレーム４２に取付けられており、例えば液晶式の画面に各種の情報を画像や文字などによって映し出すようにしている。表示装置５の裏面には図４に示すように当該表示装置５による情報等の表示に必要な制御ユニット５１が一体的に設けられている。
【００２２】
また、基台３の一端部には発電機６が設けられており、この発電機６により表示装置５の電源を確保するようにしている。
【００２３】
さらに、車体１上には、この車体１上に搭載された基台３を施解錠可能に固縛するロック装置（図示せず）が設けられている。このロック装置は、例えば海上コンテナ輸送用に供される公知のものが用いられており、これによって車体１に搭載した情報盤２を走行等の場合でも当該車体１上で安定的に保持するようにしている。
【００２４】
このように情報盤２を構成したことで、当該情報盤２を次のようにして利用することができる。
【００２５】
まず、イベント開場などの目的地に情報盤２を運搬する場合には、この情報盤２を作業車輌Ｃに載置する。具体的には、支持脚３１により車体１よりも高い位置に配置されている基台３の下方に作業車輌Ｃを後進させて車体１を進入させ、この状態で支持脚３１を縮退させることで情報盤２を車体１上に載置する。この場合、表示装置５は、伸縮シリンダ４５の縮退に伴うアウターフレーム４２の縮退によって伸縮基台３に対して最下方に配置されている（図１参照）。そして、作業車輌Ｃによって上記目的地に情報盤２を運搬する。
【００２６】
目的地では、まず、支持脚３１を伸長作動させることにり、当該支持脚３１を地上に接地させて基台３を車体１から上方に離脱させ、この状態で作業車輌Ｃを前進させることによって情報盤２を作業車輌Ｃから完全に切り離した状態で地上に設置する。
【００２７】
ところで、上述した支持脚３１の伸長作動は、例えば車輌側からの圧油の供給によって行われるようにしている。なお、基台３に油圧ユニットを搭載し、この油圧ユニットにより支持脚３１を伸長作動させるようにしてもよい。
【００２８】
続いて、基台３に各補助脚３２を取付けて当該各補助脚３２を図３に示すように支持脚３１よりも外方に張り出した状態でしかも下端が地上からやや浮いた状態で配置する。このように補助脚３２を配置することで、例えばいずれかの支持脚３１の油漏れにより情報盤２が傾いた場合でも対応する補助脚３２で支持することができ、情報盤２の転倒を確実に防止することができる。また、強風等による情報盤２の転倒も防止することができる。
【００２９】
さらに、各支持脚３１を縮退させて各補助脚３２を接地させることで、補助脚３２によって情報盤２を支持することもできる。この場合、各支持脚３１は、縮退させた状態で基台３側に回動させて格納位置に配置して邪魔にならないようにしておけばよい。
【００３０】
そして、伸縮シリンダ４５を伸長させて基端フレーム４１に対してアウターフレーム４２を上方に伸長させることで、表示装置５を所定の高さに配置する。
【００３１】
また、必要に応じて旋回ポスト４を旋回させて表示装置５の画面を所定の向きに配置する。例えば、図２に示すように走行状態のままの向きから９０°旋回させて図３に示すように後方に向かって配置することもでき、あらゆる向きに配置することができる。
【００３２】
このようにして情報盤２の設置を完了すると、表示装置５を作動させて画像等によって各種の情報を表示することで利用者に提供する。
【００３３】
このように情報盤２を脱着式とすることで、情報盤２のみをイベント開場やサービスエリアなどに設置することができ、車輌ごと設置するものと比べてスペース的な制約が緩和されて設置が容易になる。また、情報盤２を長期的に設置する場合でも作業車輌Ｃは別の前述した脱着式の情報盤２や他の脱着式の装置の移送に利用することができ、作業車輌Ｃを効率良く有効に利用することができる。
【図面の簡単な説明】
【００３４】
【図１】本発明の脱着式の情報盤を搭載した作業車輌を示す側面図である。
【図２】情報盤を示す側面図である。
【図３】表示装置を９０°旋回させた情報盤を示す背面図である。
【図４】情報盤の表示装置の伸縮機構を示す背面側から見た断面図である。
【符号の説明】
【００３５】
１  車体
２  情報盤
３  基台
３１  支持脚
３２  補助脚
４  旋回ポスト
４１  基端フレーム
４２  アウターフレーム（上部）
５  表示装置
【図１】
2008096897.tif 000003
【図２】
2008096897.tif 000004
【図３】
2008096897.tif 000005
【図４】
2008096897.tif 000006